(57)【要約】【課題】  生体各部位の硬度又は食品類の鮮度や食べ頃を測る手段としては、手や指による触診に頼っており、測定者の個人差が大きく定量的に表示する方法は無かった。  従来の勘に頼る測定方法を改善して対象器官や病巣（眼球、前立腺、精嚢、乳腺、子宮等）の硬さ、又は魚介類の鮮度（硬度）を定量的に測定する。【解決手段】  短い管状の取付金具１ａに検出母体１ｂを取り付け、その上に高分子圧電フィルム片（ＰＶＤＦ片）１ｃと、歪ゲージを用いた静圧センサ１ｅを貼り付け、ＰＶＤＦ片上に接触子１ｄを取り付けた検出部１を指先に装着し、指５の根元に機械的振動を発生する振動部２を装着して振動部の振動を指を介して検出部に伝道しＰＶＤＦ片及び静圧センサからの出力を解析装置で定量的に表示する。【選択図】図１
2006247332.tif 000002
【特許請求の範囲】
【請求項１】
指先に装着する取付金具に検出母材を貼り付け、その上に接触子を有する高分子圧電フィルム片（ＰＶＤＦ片という）と、また裏側に歪ゲージを用いた静圧センサを配置し、ＰＶＤＦ片及び静圧センサからの圧電変換信号を定量的に判断する解析装置を有する硬度検出手段と、指の根元に取り付け機械的振動を発生する振動手段を有し、両者の間を人体の指を媒体として振動伝達する生体硬度測定装置
【請求項２】
取付金具の被測定体への接触面が平面である検出部を有する請求項１記載の生体硬度測定装置。
【請求項３】
カバーの被測定体への接触面が球面である検出部を有する請求項１記載の生体硬度測定装置。
【発明の詳細な説明】
【技術分野】
【０００１】  本発明は、高分子圧電フィルムを用いて生体各部位の硬度及び食品の硬度（鮮度や食べ頃）を測定する硬度測定装置に関する。
【背景技術】
【０００２】  従来、生体各部位の硬さ又は魚介類等の食品鮮度を知る手段としては、手や指による触診に頼っており、それぞれの測定者の接触圧力、感じ方に個人差があり、定量的に表示する方法はなかった。金属等に用いられるブリネル硬度計のように球体を検体表面に押し付け、その圧力と検体の変形量により硬さを測定する方法もあるが、柔軟な生体の場合誤差が大きくまた構造上医学的に応用することは殆ど不可能であった。【０００３】  また前立腺診断においては触診の他に超音波断層法、血液検査法があるがいずれも患部の硬さを見ることは出来なかった。さらに一般の圧電センサを用いた感圧手段においては、検体を押す圧力（静圧力）の差により測定値が左右され測定の個人差が生じるほか構造が複雑で生産コストも高い。
【発明の開示】
【発明が解決しようとする課題】
【０００４】  本発明は、このような従来の測定方法の問題点を解決しようとするものであり、測定者の個人差をなくし、客観的に、定量的に対象者の器官や病巣（眼球、前立腺、精嚢、乳腺、子宮等）の硬さ、また魚介類、食肉、野菜等の硬さ（鮮度や食べ頃）を測定しようとするものである。
【課題を解決するための手段】
【０００５】  本発明は上記課題を達成するために、短い管状の取付金具の内側にゴム製の検出母体を固定しその上に高分子圧電フィルム片（以下ＰＶＤＦ片という）と、歪ゲージを用いた静圧センサを貼り付け、さらにＰＶＤＦ片の上に接触子を固着して構成された検出部を指先に装着し、その指の付け根部分に機械的振動を発生する振動部を装着して検出部のＰＶＤＦ片及び静圧センサに発生する電気出力を検出、解析、表示する解析装置により接触子に接する検体の硬さを表示させるものである。【０００６】  この発明の作用を説明すると、上記の検出部および振動部を装着した指を対象器官あるいは体腔内に装入して病変の疑いのある部位に当て、振動部から機械的振動を加えればこの振動は指を媒体として伝播しＰＶＤＦ片に伝えられる。
この時、ＰＶＤＦ片に生ずる歪は接触子を介して接触する検体の硬度が高いほど大きく、ＰＶＤＦ片からの出力はその振幅の大きさを評価するための解析装置に入力され数値的情報として表示される。
ＰＶＤＦ片の出力はその特性により振動圧に反応し、静圧は歪ゲージ出力により測定され、両出力を演算処理することにより振動圧測定値が静圧の影響を受けることはない。
【発明の効果】
【０００７】  この発明は簡便な手段により生体の硬さを、人間の勘に頼る個人誤差を解消して、より合理的にまた定量的に対象器官や病変部の状態（硬度）又は魚介類、食品類の鮮度や食べごろを表示できる効果があり、また触診における検査者の静圧（接触圧力）の差による測定値の個人差が解消されるほか構造が単純であり低コストで製作できる効果がある。
【発明を実施するための最良の形態】  以下、本発明の実施の形態を実施例をもとに説明する。
（実施例１）【０００８】  図１および図２において、プラスチック、又は金属等の弾性を持つ薄板を円筒状に曲げ、指先に嵌め込み固定する手段を施した取付金具１ａの内側にゴム製の検出母材１ｂを取り付け、検出母材１ｂの上に加硫ゴム製の接触子１ｄを取付金具１ａの穴を通してＰＶＤＦ片１ｃに接着する。
検出母材１ｂの裏側に、金属板に歪ゲージを貼り付けた静圧センサ１ｅを接着して検出部１を構成し、ＰＶＤＦ片１ｃからオシロスコープ及び表示器を備えた解析装置に接続し、静圧センサ１ｅからはブリッジボックスを経由して解析装置３に接続する。【０００９】  指輪状の振動本体２ａに電磁コイル又はモータを用いた振動子２ｂを内蔵して振動部２を構成し、振動子２ｂに振動電源を接続する。【００１０】  本発明は指先に解析装置３に接続された検出部１を、また指の根元に振動電源に接続された振動部２を取り付けて構成されたものであり、使用時にはさらにこの上にゴム又は軟質のプラスチック製の手袋等を嵌めて細菌の感染と生体の外傷を防止する。
この実施例は生体各部位の硬度局在診断（健康状態及び病態）、スポーツ医学における筋肉疲労度測定、生鮮食品の鮮度測定と食べ頃判定に有効である。
（実施例２）【００１１】  図３および図４において、プラスチック、又は金属等の弾性を持つ薄板を円筒状に曲げ、指先に嵌め込み固定する手段を施した取付金具４ａにゴム製の検出母体４ｂ、ＰＶＤＦ片４ｃを取り付けその上に加硫ゴムの接触子４ｄを接着する。
また接触子４ｄにプラスチック粘土で作られた球面皿状のカバー４ｅを固定し、カバー４ｅの上にゴム板で作られた三日月状の接触補助板４ｆを貼り付ける。
検出母体４ｂの裏面に金属板に歪ゲージを貼り付けた静圧センサ１ｅを接着し、さらに全体を充填財４ｇで表面を滑らかに仕上げて検出部−４を構成する。
ＰＶＤＦ片４ｃからオシロスコープ及び表示器を備えた解析装置３に接続し、静圧センサ１ｅからはブリッジボックスを経由して解析装置３に接続する。【００１２】  指輪状の振動本体２ａに電磁コイル又はモータを用いた振動子２ｂを内蔵して振動部２を構成し、振動子２ｂに振動電源を接続する。【００１３】  本発明は指先に解析装置３に接続された検出部４を、指の根元に振動電源に接続された振動部２を取り付けて構成されたものであり、使用時にはさらにこの上にゴム又は軟質のプラスチック製の指サック等を嵌めて細菌の感染と生体の外傷を防止する。
この実施例は生体各部位の硬度局在診断、特に前立腺診断に有効である。
（実施の態様）【００１４】    図５はヤング率で表現した被測定体の硬度とＰＶＤＦ片の出力との特性を前立腺を例として正常状態、肥大状態，癌状態について示したものである。
【図面の簡単な説明】
【００１５】
【図１】本発明の実施例１の実施形態を示す外観図
【図２】同発明の実施例１の検出部の平面図及び断面図
【図３】同発明の実施例２の実施形態を示す外観図
【図４】同発明の実施例２の検出部の平面図及び断面図
【図５】同発明の実施例におけるオシロスコープ出力波形図
【符号の説明】
【００１４】１、４：検出部      ２：振動部      ３：解析装置      ５：指
１ａ、４ａ：取付金具    １ｂ、４ｂ：検出母体      １ｃ，４ｃ：ＰＶＤＦフィルム片
１ｄ、４ｄ：接触子      １ｅ：静圧センサ      ４ｅ：カバー      ４ｆ：接触補助板
４ｇ：充填財
２ａ：振動本体      ２ｂ：振動子
【図１】
2006247332.tif 000003
【図２】
2006247332.tif 000004
【図３】
2006247332.tif 000005
【図４】
2006247332.tif 000006
【図５】
2006247332.tif 000007